(57)【要約】【課題】  コストアップを抑え、使用者が自己治療したい部位を自身で簡便に治療し得る低周波治療器を提供する。【解決手段】  低周波治療器１を、内部に低周波発振部を含む回路部６、電池１０、及び外部の電極部３を接続するためのジャック１１を備える本体部２と、それぞれに第１の電極導子３２、第２の電極導子３３、及びこの第１と第２の電極導子３２、３３をジャック１１に接続するためのプラグ２１を有する複数種の電極部３A 、……、３D とから構成し、複数種の電極部３A 、……、３D から目的に応じた１つを選択し、選択した１つの電極部のプラグ２１をジャック１１に接続して、目的とする部位を治療する。【選択図】      図１
2006087759.tif 000002
【特許請求の範囲】
【請求項１】
内部に低周波発振部を含む回路基板と、電池と、少なくとも１個の外部接続器とを有する本体部と、
それぞれに第１と第２の電極導子と、この第１と第２の電極導子を前記外部接続器に接続するための接続器とを有する複数種の電極部とを備え、
複数種の電極部から選択される１つの電極部の接続器を前記本体の外部接続器に接続することを特徴とする低周波治療器。
【請求項２】
前記複数種の電極部の１つは、先端が先細状の第１の電極導子と、握手用の第２の電極導子が絶縁材により離隔して形成され、全体形状がペンシル状である請求項１記載の低周波治療器。
【請求項３】
前記複数種の電極部の１つは、先端部の第１の電極導子と、握手用の第２の電極導子が絶縁材により離隔して形成され、かつ先端部が屈曲しており、全体形状が略Ｊ状である請求項１記載の低周波治療器。
【請求項４】
前記複数種の電極部の１つは、先端部の第１の電極導子と、握手用の第２の電極導子が絶縁材により離隔して形成され、かつ先端部の第１の電極導子が回転可能なローラ状である請求項１記載の低周波治療器。
【請求項５】
前記複数種の電極部の１つは、第１の導子電極、第２の導子電極がパッドである請求項１記載の低周波治療器。
【発明の詳細な説明】
【技術分野】
【０００１】
この発明は、小型でかつ使用者が自身のどの部位でも簡便に治療し得る低周波治療器に関する。
【背景技術】
【０００２】
従来、治療者が圧痛点を自分で検索しながら、自分に適合した強さで治療し得、かつ使用が簡便で、小型の低周波治療器として、ケース体の外形がペンシル状であり、ケース体が先細状の第１の電極導子と、握手部に設けられる第２の電極導子と、第１の電極導子と第２の電極導子間に設けられる絶縁体とから構成され、ケース体の内部に低周波発振部を含む回路基板と電池を収納するものが開示されている（例えば、特許文献１参照）。また、低周波治療器の第１の電極導子と第２の電極導子として比較的平面的な治療部位のどこにでも装着可能なシート状の電極バッドを用いた低周波治療器も数多く開発され、よく知られている（例えば、特許文献２参照）。
【特許文献１】登録実用新案第２６０６８０７号公報
【特許文献２】特開平７−３１３５７０号公報
【発明の開示】
【発明が解決しようとする課題】
【０００３】
上記した従来のペンシル状の低周波治療器は、電極を手に握って持つことにより、足など先端の電極導子を押しつけ易いところを治療する場合、便利である。しかしながら、背面、肩、顔などをマッサージしたい場合、使い勝手が悪いこともある。また、バッド電極を採用の低周波治療器は、腹、腰、肩など、比較的平面的な部位を治療するのに好適である。しかしながら、足裏、顔面などを治療する場合には、やはり適当でない。
【０００４】
そこで、自身でどこでも低周波治療器による治療を簡便に行うために、それぞれ各部位に適した専用の機器を個別に所持しておくことが考えられるが、各部位毎の専用機器を備えておくことは、機器の購入費が大となるという問題がある。また、部位によって適正な治療を行い得る機器が開発されていないこともある。  この発明は上記問題点に着目してなされたものであって、コストアップを抑えつつ、しかも使用者が自己の治療したい部位を自身で簡便に治療し得る低周波治療器を提供することを目的としている。
【課題を解決するための手段】
【０００５】
この発明の低周波治療器は、内部に低周波発振部を含む回路基板と、電池と、少なくとも１個の外部接続器とを有する本体部と、それぞれに第１と第２の電極導子と、この第１と第２の電極導子を前記外部接続器に接続するための接続器とを有する複数種の電極部とを備え、複数種の電極部から選択される１つの電極部の接続器を前記本体の外部接続器に接続することを特徴とする。
【０００６】
この発明の低周波治療器で使用する複数種の電極部の１つは、例えば先端が先細状の第１の電極導子と、握手用の第２の電極導子が絶縁材により離隔して形成され、全体形状がペンシル状のものである。
【０００７】
この発明の低周波治療器で使用する複数種の他の１つは、例えば先端部の第１の電極導子と、握手用の第２の電極導子が絶縁材により離隔して形成され、かつ先端部が屈曲しており、全体形状が略Ｊ状のものである。
【０００８】
この発明の低周波治療器で使用する複数種の更に他の１つは、例えば先端部の第１の電極導子と、握手用の第２の電極導子が絶縁材により離隔して形成され、かつ先端部の第１の電極導子が回転可能なローラ状であるものである。
【０００９】
この発明の低周波治療器で使用する複数種の電極部の１つとして、更に例えば第１の導子電極、第２の導子電極がパッドであっても良い。
【発明の効果】
【００１０】
この発明によれば、複数種の電極部を備えており、治療に際しては、その治療部位に適した電極部を選択し、選択した電極部を本体部の外部接続器に接続して使用することにより、治療の必要な部位に電極導子を容易に装着でき、所要の部位に対し、自身で使い勝手良く容易に治療を行うことができる。
【００１１】
また、この発明によれば、本体部は１個であるので、専用の低周波治療を個別に製作し、揃える場合に比し、割安に実現できる。
【発明を実施するための最良の形態】
【００１２】
以下、実施の形態により、この発明をさらに詳細に説明する。図１は、この発明の一実施形態である低周波治療器の概略図である。この実施形態低周波治療器１は、本体部２と、電極部３とから構成されている。本体部２は、外見が偏平で平面視矩形状のケース体４内に、電源である電池１０の収納部５と、基板上に低周波発振部等の回路を実装した回路部６が設けられている。また、ケース体４の外面に、ボリュウム付スイッチ７、設定スイッチ８、及びＬＥＤ９ａ、９ｂが配備され、更に電極部３を接続するためのジャック（外部接続器）１１が設けられている。ジャック１１は、ケース体４内で回路部６に電気的に接続されている。ジャック１１は、電極部３のプラグ２１を挿入する。ボリュウム付スイッチ７はツマミ７ｃを有し、このツマミ７ｃにより、電源スイッチをＯＦＦとでき、ＯＦＦ状態で表示窓７ｄに「切」が表示される。ツマミ７ｃにより、電源スイッチをＯＮすると、表示窓７ｄから「切」が消え、そのままツマミ７ｃを回してゆくと、後述の出力回路の出力が大となる。また、電源スイッチがＯＮされると、ジャック１１を経て、電極部３に出力される低周波パルスのモードが所定時間をおいて、自動的に順次切り換えられる。この間、ＬＥＤ９ａ（選択）が表示されている。使用者が好みのモードになって設定スイッチ８を操作すると、ＬＥＤ９ａの表示が消え、ＬＥＤ９ｂ（決定）が点灯し、その後、そのモードで治療を行う。ここでのモードとは「もむ」、「たたく」などの別を示すモードであり、各モードに応じて出力される低周波パルスのパターンが異なる。この実施形態では、ジャック１１は１個のみ設けているが、後述するように、複数個のジャックを配備しても良い。
【００１３】
電極部３は、本体部２とは別体で複数個備えられており、この実施形態では、４種の電極部を備えており、その中の１つを目的部位に応じて使用者が選択し、選択した電極部３のプラグ２１を本体部２のジャック１１に挿入接続して使用する。これら４種の電極部３（３A 、３B 、３C 、３D ）については、後に詳述する。もちろん、この発明において、電極部３は、ここで示す４種に限られるものではなく、４種より少なくても良いし、多くても良い。
【００１４】
図２は、実施形態治療器の回路構成を示すブロック図である。この低周波治療器は、電極部３と、ダイヤルＳＷ７ａと、ボリュウム７ｂと、設定スイッチ８と、ＬＥＤ９と、電池１０と、ジャック（接続器）１１と、定電圧回路１２と、ＭＰＵ１３と、昇圧回路１４と、出力回路１５と、タイマ１６とを備えている。
【００１５】
ダイヤルＳＷ７ａは、ボリュウム付スイッチ７の電源スイッチであり、ツマミ７ｃによりオンすると電池１０より定電圧回路１２を介してＭＰＵ１３に動作電圧を印加する。動作開始で、ＭＰＵ１３は予め記憶してある所定のモードで所定の周波数の低周波パルスを昇圧回路１４に入力する。昇圧回路１４は、この低周波パルスを増幅昇圧する。ボリュウム７ｂは、ボリュウム付スイッチ７のボリュウムであり、このボリュウム７ｂのツマミを回転させて、出力回路１５への入力を調整する。出力回路１５の低周波出力はジャック１１を経て、外部の電極部３に供給される。電極部３では、低周波出力が供給されると、一対の電極導子を通して患部に低周波を通電し、治療が行われる。使用者が設定スイッチ８を操作するまでは、上述したように、所定のモードを一定時間ずつ自動的に切り替えながら出力する。
【００１６】
次に、この実施形態低周波治療器１に備える各種の電極部３A 、３B 、３C 、３D について説明する。図３は、ペンシル状の電極部３A の電極の断面を示す。この電極部３A は、全体の外観形状がペンシル状をしており、ここでは基体３１が棒状の絶縁材で形成され、この基体３１の先端面外周に先細状で先端が半球状の金属製の第１の電極導子３２が嵌められ、また、基体３１の上端外周に握手用の金属製の第２の電極導子３３が設けられている。更に、基体３１には長手方向に内通路３５が形成され、この内通路３５に内部リード線３４が通され、第１の電極導子３２、第２の電極導子３３に電気的に接続されている。この内部リード線３４はリード線２２としてプラグ２１により本体部２のジャック１１に接続できる。
【００１７】
この電極部３A を本体部２に接続して、この実施形態低周波治療器を用いて、患部の治療を行う場合には、使用者が例えば右手で第２の電極導子３３を把持して、圧痛点、つまり患部に第１の電極導子３２を当接させる。そして、ダイヤルスイッチ７ａをオンする。と同時に、ダイヤルのボリュウム７ｂを少し回して出力を上げる。ＭＰＵ１３よりの低周波パルスは、昇圧回路１４で昇圧され、更に出力回路１５では、ボリュウム７ｂのツマミ７ｃに応じたレベル調整値の昇圧パルスとされ、電極部３A の第１の電極導子３２、第２の電極導子３３に印加される。低周波パルスの印加毎に、第１の電極導子３２→生体患部→右手→第２の電極導子３３→アース端子の順に低周波電流が流れる。そして、パルス電流が流れる毎に、患部に刺激が与えられる。パルス電圧が印加される度にＬＥＤ９ａ（９ｂ）の点灯状態により、パルス電圧が印加されるタイミングを知ることができる。このペンシル状の電極部は、足裏の圧痛点を刺激する場合に好適であり、足のむくみ等を治療するのに有効である。
【００１８】
なお、ここで示したペンシル状の電極部３A では、第１の電極導子３２、第２の電極導子３３は、金属製のものを使用したが、これに代えて、第１の電極導子３２は絶縁材の表面に金属製のメッキを施したものを、第２の電極導子３３は基体３１の外周面に金属メッキを施したものとしても良い。この第１の電極導子３２、第２の電極導子３３を金属体で形成するか、あるいは金属メッキで形成するかについては、以下に示す図４〜図６の電極部３B 、３C についても同様である。
【００１９】
図４は、肩もみ用として備える電極部３B を示す平面図である。この電極部３B も絶縁材で構成される基体３１の先端に、患部を圧接する第１の電極導子３２を設け、基体３１の後端の握手部に第２の電極導子３３を備える点で同じである。もちろん、第１の電極導子３２は基体３１内の内部リード線３４（図示省略）により、リード線２２に接続されている。この電極部３B の特徴は、絶縁材で形成される基体３１の先端部を電極導子３２が後端を向く程度までに屈曲させ、全体として外観形状がＪの字状となるように構成したことである。
【００２０】
この電極部３B を本体部２に接続して、患部の治療を行う場合には、使用者が例えば右手で第２の電極導子３３を把持して、背中、あるいは肩の圧痛点に、第１の電極導子３２を当接させて、ダイヤルスイッチ７ａをオンして、回路部より電極部３B に低周波出力を印加する。動作は、電極部３A を使用した場合と変わらない。このＪの字の電極部は、Ｊの字の屈曲部による弾性力を利用することができ、使用に際し、窮屈さを感じることなく、背中、肩等の圧痛点を刺激する場合に好適である。
【００２１】
図５は、更に第３の電極部３C を示す平面図、図６は、同電極部３C の側面図である。この電極部３C も、電極の基体３１が絶縁材で形成され、この基体３１の先端に患部を圧接する第１の電極導子３２を設け、基体３１の後端の握手部に第２の電極導子３３を備えており、この点、ペンシル状のもの、Ｊの字状のものと同様である。この電極部３ｃにおいても、第１の電極導子３２は、基体３１の内部に設けられる内部リード線３４（図示省略）により、リード線２２に接続されている。
【００２２】
この電極部３C の特徴は、第１の電極導子３２が回転自在なローラ３２ａの表面に形成されたことである。この電極部３C を本体部２に接続して、患部の治療を行う場合には、使用者が例えば右手で第２の電極部３３を把持して、第１の電極導子３２を顔面に当接して、ダイヤルスイッチ７ａをオンして、回路部より電極部３C に低周波出力を印加する。そして、使用者はローラである第１の電極導子３２を患部上で転がし、マッサージを行う。このローラ式の電極部３C は顔面のマッサージを行うのに好適であり、顔面神経痛の治療に有効である。
【００２３】
図７は、更に第４の電極部３D を示す平面図である。この電極部３D は、パッド状の第１の電極導子４２と、同じくパッド状の第２の電極導子４３と、リード線４４と、プラグ２１からなるものである。もっとも、この種の電極は、既に良く知られたものである。この電極部３D を本体部２に接続して、患部の治療を行う場合には、使用者が第１の電極導子４２と第２の電極導子４３を患部であるお腹、腰等に互いに所定距離をおいて貼着する。次に、ダイヤルスイッチ７ａをオンして回路部より電極部３D に低周波電力を印加する。治療動作は、通常のパッド電極を使用した低周波治療器の場合と同様である。
【００２４】
上記実施形態においては、本体部２のジャック１１を１個とし、複数の電極部３A 、……、３D を目的に応じて選択して、１つを接続しているが、他の実施形態として、本体部２に複数の電極部３A 、……、３D の１つを選択指定入力する手段を備え、この選択指定に応じた低周波出力が電極部に供給されるようにしても良い。また、この場合、ジャック１１を、それぞれ電極部３A 、……、３D に併せて複数個（１１A 、１１B 、１１C 、１１D ）並設し、選択指定された電極部を対応する外部接続器に接続するようにしても良い。このようにすれば、各電極部毎に異なる低周波出力を出力できる。
【図面の簡単な説明】
【００２５】
【図１】この発明の一実施形態である低周波治療器の概略を示す平面図である。
【図２】同実施形態低周波治療器の回路構成を示すブロック図である。
【図３】同実施形態低周波治療器を構成する第１の電極部の概略構成を示す断面図である。
【図４】同実施形態低周波治療を構成する他の電極部を示す平面図である。
【図５】同実施形態低周波治療器を構成する更に他の電極部を示す平面図である。
【図６】同電極部の側面図である。
【図７】同実施形態低周波治療器を構成する更に他の電極部を示す平面図である。
【符号の説明】
【００２６】
１                          低周波治療器
２                          本体部
３、３A 、３B 、３ C、３D   電極部
１１                        ジャック（外部接続器）
２１                        プラグ
２２                        リード線
３１                        基体
３２                        第１の電極導子
３３                        第２の電極導子
３４                        内部リード線
【図１】
2006087759.tif 000003
【図２】
2006087759.tif 000004
【図３】
2006087759.tif 000005
【図４】
2006087759.tif 000006
【図５】
2006087759.tif 000007
【図６】
2006087759.tif 000008
【図７】
2006087759.tif 000009